(57)【要約】      （修正有）【課題】紙製の外箱の中から商品を収めた紙製の内箱を安全に、かつ、簡単に取り出せると共に、商品を収めた内箱を、そのまま展示ケースとして使用することができる二重箱を提供する。【解決手段】偏平に折り畳める紙製の外箱１１と、該外箱１１の中に収容可能であると共に偏平に折り畳める紙製の内箱から成る。内箱が商品を収容したまま展示できる展示ケースを兼ね、外箱１１はその側面部に内箱の取り出し口を実現するための破断可能部２６を具備する。【選択図】図２
0003181275.tif 000002
【実用新案登録請求の範囲】
【請求項１】
偏平に折り畳める紙製の外箱と、該外箱の中に収容可能であると共に偏平に折り畳める紙製の内箱から成る二重箱であって、前記内箱が商品を収容したまま展示できる展示ケースを兼ね、前記外箱はその側面に内箱の取り出し口を出現するための破断可能部を具備することを特徴とする二重箱。
【請求項２】
前記破断可能部を、外箱の側面の上端から下端に至る２本の第１ミシン目と、前記側面に接続している蓋部材に設けた凸形状の切れ込み部と、該切れ込み部から第１ミシン目の上端に至る２つの第２ミシン目から構成することを特徴とする請求項１記載の二重箱。
【請求項３】
前記外箱の側面の上下両端部に、前記側面の各側端部から第１ミシン目に至る切り込み部を設けることを特徴とする請求項２記載の二重箱。
【請求項４】
前記外箱の側面の左右両端部下端にそれぞれスリット状の切欠き部を設けることを特徴とする請求項２記載の二重箱。
【請求項５】
前記破断可能部を、外箱の側面の側端部下端に設けたリット状の切欠き部と側端部の上端部とを結ぶ山形状のミシン目と、前記側面の上部中央に設けた倒立Ｕ字状のミシン目と、該倒立Ｕ字状のミシン目から前記山形状のミシン目に至るミシン目から構成することを特徴とする請求項１記載の二重箱。
【請求項６】
外箱の底部を対向する２つの大底部材と対向する２つの小底部材より構成すると共に、一対角線上に位置する大底部材と小底部材の重合部を接着し、各大底部材の自由端にそれぞれ台形状の頭部をＬ字形に設けると共に、各頭部の根元部にＬ字形の係合部を設け、かつ、前記各重合部に谷折り部を設けることを特徴とする請求項１記載の二重箱。
【請求項７】
内箱の底部を対向する２つの大底部材と対向する２つの小底部材より構成すると共に、一対角線上に位置する大底部材と小底部材の重合部を接着し、各大底部材の自由端にそれぞれ台形状の頭部をＬ字形に設けると共に、各頭部の根元部にＬ字形の係合部を設け、かつ、前記各重合部に谷折り部を設けることを特徴とする請求項１記載の二重箱。
【考案の詳細な説明】
【技術分野】
【０００１】
本考案は、偏平に折り畳める紙製の外箱と、この外箱の中に収容されると共に偏平に折り畳める紙製の内箱から成る二重箱に関する。
【背景技術】
【０００２】
従来、化粧水や口紅などの化粧品、養毛剤や毛染剤などの美容品、あるいは、疲労回復剤などのドリンク剤を店頭で展示販売する場合、問屋や卸業者から仕入れたこれらの商品を梱包ケースから一つずつ取り出して店頭の展示ケースや陳列棚に移し替えることが行われている．しかしながら、梱包ケースから商品を一つずつ取り出して店頭の展示ケースや陳列棚に移し替える作業は、想像するよりも遙かに手間が掛かると言う問題がある。
【０００３】
一方、ミネラルウォータや醤油など日用品の場合、梱包用の段ボール箱の側面を一周にわたってカッターナイフなどの刃物で截断して段ボール箱の下半分を陳列ケースとして使用することが行われている。
【０００４】
ミネラルウォータや醤油などの日用品の場合は、段ボール箱の下半分を陳列ケースとして利用する方法でも、違和感を感じることが少ないかも知れない。しかしながら、化粧水や口紅などの化粧品、あるいは、養毛剤や毛染剤などの美容品の場合は、高級感や薬効性への期待が大きいことから段ボール箱のような外箱の下半分を、そのまま陳列ケースとして使用する方法は敬遠されてしまう。また、段ボール箱の開封時にカッターナイフなどの刃物を使用することは、非常に危険である。
【０００５】
ところで、紙製の外箱と、この外箱の中に収容された紙製の内箱からなる折り畳み二重箱が提案されているが、この折り畳み二重箱は、外箱の上部屈曲片を内側に折り込むことによって外箱と内箱の間に隙間を形成し、この隙間に介在する空気によって断熱性を高めるようにした考案である（例えば、特許文献１参照）。
【先行技術文献】
【特許文献】
【０００６】
【特許文献１】特開２００４−６７１３３号公報
【考案の概要】
【考案が解決しようとする課題】
【０００７】
本考案は、紙製の外箱の中から商品を収めた紙製の内箱を安全に、かつ、簡単に取り出すことができると共に、商品を収めた内箱を、そのまま展示ケースとして使用することができる二重箱を提供することにある。
【課題を解決するための手段】
【０００８】
本考案の請求項１に係る考案は、偏平に折り畳める紙製の外箱と、該外箱の中に収容可能であると共に偏平に折り畳める紙製の内箱から成る二重箱であって、前記内箱が商品を収容したまま展示できる展示ケースを兼ね、前記外箱はその側面に内箱の取り出し口を出現するための破断可能部を具備することを特徴とするものである。
【０００９】
本考案の請求項２に係る考案は、前記破断可能部を、外箱の側面の上端から下端に至る２本の第１ミシン目と、前記側面に接続している蓋部材に設けた凸形状の切れ込み部と、該切れ込み部から第１ミシン目の上端に至る２つの第２ミシン目から構成することを特徴とするものである。
【００１０】
本考案の請求項３に係る考案は、前記外箱の側面の上下両端部に、前記側面の各側端部から第１ミシン目に至る切り込み部を設けることを特徴とするものである。
【００１１】
本考案の請求項４に係る考案は、前記外箱の側面の左右両端部下端にそれぞれスリット状の切欠き部を設けることを特徴とするものである。
【００１２】
本考案の請求項５に係る考案は、前記破断可能部を、外箱の側面の側端部下端に設けたリット状の切欠き部と側端部の上端部とを結ぶ山形状のミシン目と、前記側面の上部中央に設けた倒立Ｕ字状のミシン目と、該倒立Ｕ字状のミシン目から前記山形状のミシン目に至るミシン目から構成することを特徴とするものである。
【００１３】
本考案の請求項６に係る考案は、外箱の底部を対向する２つの大底部材と対向する２つの小底部材より構成すると共に、一対角線上に位置する大底部材と小底部材の重合部を接着し、各大底部材の自由端にそれぞれ台形状の頭部をＬ字形に設けると共に、各頭部の根元部にＬ字形の係合部を設け、かつ、前記各重合部に谷折り部を設けることを特徴とするものである。
【００１４】
本考案の請求項７に係る考案は、内箱の底部を対向する２つの大底部材と対向する２つの小底部材より構成すると共に、一対角線上に位置する大底部材と小底部材の重合部を接着し、各大底部材の自由端にそれぞれ台形状の頭部をＬ字形に設けると共に、各頭部の根元部にＬ字形の係合部を設け、かつ、前記各重合部に谷折り部を設けることを特徴とするものである。
【考案の効果】
【００１５】
本考案は、偏平に折り畳める紙製の外箱と、該外箱の中に収容可能であると共に偏平に折り畳める紙製の内箱から成る二重箱であって、前記内箱が商品を収容したまま展示できる展示ケースを兼ね、前記外箱はその側面に内箱の取り出し口を出現するための破断可能部を具備するから、前記破断可能部に沿って外箱の側面を破断することによって外箱の側面に内箱の取り出し口を安全に、かつ、簡単に出現させることができる。
【００１６】
従って、外箱の側面に出現した内箱の取り出し口から商品を収容した内箱を容易に、かつ、簡単に取り出すことができるとともに、商品を収容した内箱をそのまま店頭に展示することができる。
【図面の簡単な説明】
【００１７】
【図１】本考案に係る二重箱の平面図である。
【図２】偏平に折り畳まれた外箱の側面図である。
【図３】偏平に折り畳まれた内箱の側面図である。
【図４】外箱の平面図である。
【図５】内箱内に商品を収容した様子を示す二重箱の平面図である。
【図６】外箱の蓋を粘着テープで固定した様子を示す平面図である。
【図７】外箱に内箱の取り出し口を出現させた様子を示す斜視図である。
【図８】本考案に係る二重箱の他の一例を示す斜視図である。
【考案を実施するための形態】
【００１８】
先ず、本考案の第１の実施形態について説明する。図１に示すように、本考案に係る二重箱１０は、紙製の外箱１１と、外箱１１の中に収容した紙製の内箱１２から構成されている。二重箱１０は、偏平に折り畳んで集積率を高めた状態で製箱メーカーから異業種のメ−カ−等に納品される。
【００１９】
図２に示すように、外箱１１は、角筒状の胴部２０と、蓋部４０と、底部５０から構成されている。胴部２０は、対向する位置にある２つの大側面部２１，２２と、対向する位置にある２つの小側面部２３，２４から構成されている。大側面部２１，２２は、その上方に長方形の大蓋部材４１，４２を設け、その下方に後述する大底部材５１，５２を設けている。小側面部２３，２４は、その上方に長方形の小蓋部材４３，４４を設け、その下方に後述する小底部材５３，５４を設けている。
【００２０】
上記外箱１１は、内箱の取り出し口２５（図７参照）を出現するための破断可能部２６を備えている。破断可能部２６は、大側面部２１の上端部から下端部に至る２本の平行な第１ミシン目２７，２８と、大蓋部材４１に設けた凸形状の切り込み部２９と、切り込み部２９の一端から第１ミシン目２７の上端部に至る斜めの第２ミシン目３０と、切り込み部２９の他の一端から第１ミシン目２８の上端部に至る斜めの第２ミシン目３１から構成されている。切り込み部２９は、半円形の切欠き部３２を具備している。
【００２１】
また、外箱１１は、大側面部２１と小側面部２３が接する左山折り部（左側端部）３３の下端部にスリット状の切欠き部３４を設けるとともに、大側面部２１と小側面部２４が接する右山折り部（右側端部）３５の下端部にスリット状の切欠き部３６を設けている。更に、外箱１１は、大側面部２１の上下両端部に前記左山折り部３３から第１ミシン目２７に至る切り込み部３７を設けるとともに、前記右山折り部３５から第１ミシン目２８に至る切り込み部３８を設けている。
【００２２】
図４に示すように、底部５０は、一つの対角線（図示せず）上に位置している一方の大底部材５１と小底部材５４との重合部５５（符号ａ，ｂ，ｃ，ｄで囲まれる部分（分かり易いように、一部にハッチングを施している）を接着すると共に、他の一方の大底部材５２と小底部材５３との重合部５６（符号ａ，ｂ，ｃ，ｄで囲まれる部分（分かり易いように、一部にハッチングを施している）を接着している。
【００２３】
大底部材５１，５２は、その自由端に台形状の頭部５７をＬ字形に具備するとともに、頭部５７の根元部にＬ字形の係合部５８を設けている。その上、偏平に折り畳まれた外箱１１を箱形状に復元するとき、各頭部５７，５７が対応しているそれぞれの重合部５５，５６の上に重なると共に、各係合部５８，５８どうしが互いに係合するようになっている。また、底部５０は、偏平に折り畳む必要があることから、符号ａと符号ｂを結ぶ直線上に谷折り部５９を設けている。
【００２４】
上記内箱１２は、展示ケースを兼ねるため、斬新な形状に形成されるとともに、多彩な色彩などが施されている。内箱１２は、図３に示すように、胴部６０と底部７０から構成されている。
【００２５】
胴部６０は、対向する位置にある２つの大側面部６１，６２と、対向する位置にある２つの小側面部６３，６４から構成されている。大側面部６１，６２は、斬新な形状に形成され、その下方に大底部材７１，７２を設けている。他方、小側面部６３，６４は、前方の小側面部６３の高さが後方の小側面部６４の高さよりも低く形成されると共に、その下方に小底部材７３，７４を設けている。
【００２６】
図１に示すように、底部７０は、一つの対角線（図示せず）上に位置している一方の大底部材７１と小底部材７４との重合部７５（符号ａ，ｂ，ｃ，ｄで囲まれる部分（分かり易いように、一部にハッチングを施している）を接着すると共に、他の一方の大底部材７２と小底部材７３との重合部７６（符号ａ，ｂ，ｃ，ｄで囲まれる部分（分かり易いように、一部にハッチングを施している）を接着している。
【００２７】
大底部材７１，７２は、その自由端に台形状の頭部７７をＬ字形に具備するとともに、頭部７７の根元部にＬ字形の係合部７８を設けている。その上、偏平に折り畳まれた内箱１２を箱形状に復元するとき、各頭部７７，７７が対応しているそれぞれの重合部７５，７６の上に重なると共に、各係合部７８，７８どうしが互いに係合するようになっている。また、底部７０は、符号ａと符号ｂを結ぶ直線上に谷折り部７９を設けている。
【００２８】
本考案の二重箱１０は、偏平に折り畳んだ状態で製箱メーカーから異業種のメーカー等に納品される。二重箱１０を購入した異業種のメーカー等は、偏平に折り畳まれた二重箱１０を箱形状に復元して使用する。
【００２９】
二重箱１０を箱形状に復元する場合は、二重箱１０の前後両端を接近させるように押して内外の胴部２０および６０が長方形になるように拡復させた後、内箱１２の底部７０を下方に押し出すと、内箱１２の大底部材７１，７２に設けられている係合部７８，７８どうしがワンタッチで組みつけられ（図１参照）、同時に、外箱１１の大底部材５１，５２に設けられている係合部５８，５８どうしが組みつけられる（図４参照）。なお、外箱１１と内箱１２がワンタッチで組み立てられない場合は、外箱１１と内箱１２を別々に組み立てたあと、内箱１２を外箱１１内に収納して使用する。
【００３０】
次に、図５に示すように、内箱１２の中に商品１３を収納した後、外箱１１の小蓋部材４３，４４と大蓋部材４１，４２とを山折し、図６に示すように、２つの大蓋部材４１，４２の突き合わせ部を粘着テープ１４によって張り合わせる。
【００３１】
問屋等を経て商品１３が詰まった二重箱１０を購入した販売業者は、外箱１１の中から商品１３が収められている内箱１２を取り出して展示販売する。
【００３２】
その際、外箱１１の大蓋部材４１に設けられている切欠き部３２に指先を掛けて切り込み部２９によって囲まれている凸形状の把持部４１ａを手前に引き起こす。次に、この凸形状の把持部４１ａを掴んで手前に引くと、外箱１１の大蓋部材４１に設けられている左右の第２ミシン目３０，３１が破断され、続いて、外箱１１の大側面部２１に設けられている２本の第１ミシン目２７，２８が破断される。そして、図７に示すように、外箱１１の大側面部２１に内箱の取り出し口２５が出現する。
【００３３】
しかる後に、外箱１１の内箱取り出し口２５から商品１３が収められている内箱１２を外方に引き出すと、外箱１１の大側面部２１は、その上端部の左右両側に切り込み部３７，３８を具備すると共に、その下端部の左右両側に切り込み部３７，３８を具備しているから、大側面部２１の左右の両端部分２１ｂが矢印のように左右に開かれ、内箱１２を簡単に引き出すことができる。外箱１１内から引き出した内箱１２は、そのまま展示ケースとして商品１３と一緒に店頭に展示する。符号２１ａは、両端に第１ミシン目２７，２８を持つ大側面部２１の中央部分である。
【００３４】
次に、本考案の第２の実施形態について説明する。なお、第１の実施形態の部材と同じ部材には同じ符号を付けて詳しい説明を省略する。
【００３５】
第２の実施形態における破断可能部９６は、図８に示すように、外箱１１の大側面部２１の左側端部（左山折り部３３）の下端に設けたリット状の切欠き部３４と左側端部の上端部９１とを結ぶ山形状のミシン目９２、外箱１１の大側面部２１の右側端部（右山折り部３５）の下端に設けたリット状の切欠き部３６と右側端部の上端９３とを結ぶ山形状のミシン目９４、大側面部２１の上部中央に設けた倒立Ｕ字状のミシン目９５、およびこの倒立Ｕ字状のミシン目９５から前記山形状のミシン目９２，９４に至る２つのミシン目９７，９８から構成されている。
【００３６】
この破断可能部９６を破断して外箱１１の大側面部２１に内箱の取り出し口（図示せず）を出現させる場合は、ミシン目９５によって囲まれている倒立Ｕ字状部９９を押してミシン目９５を破断する。そして、この倒立Ｕ字状部９９を掴んで大側面部２１の中央部分２１ｄを手前下方に引き下ろすと、ミシン目９７，９８が破断し、続いて、山形状のミシン目９２，９４の下方部分が破断する。
【００３７】
次に、大側面部２１の上部部分２１ｅを上方に持ち上げると、山形状のミシン目９２，９４の上方部分が破断する。次に、大側面部２１の左右両端部分２１ｆを左右に拡げると、外箱１１の大側面部２１に内箱の取り出し口（図示せず）が出現する。
【産業上の利用可能性】
【００３８】
本考案は、商品を店頭で陳列する商品陳列用具として有用である。
【符号の説明】
【００３９】
１０  二重箱
１１  外箱
１２  内箱
１３  商品
２５  内箱の取り出し口
２６，９６  破断可能部
【図１】
0003181275.tif 000003
【図２】
0003181275.tif 000004
【図３】
0003181275.tif 000005
【図４】
0003181275.tif 000006
【図５】
0003181275.tif 000007
【図６】
0003181275.tif 000008
【図７】
0003181275.tif 000009
【図８】
0003181275.tif 000010